(57)【特許請求の範囲】
【請求項１】
少なくとも臀部及び脇部を覆う身生地部、腰ゴム部、及び前立て部を有する前開き男性用下着において、
前記前立て部は、表側前立て部と裏側前立て部とから構成され、
前記表側前立て部は、凸状に膨出した縫着部による局部用被覆部を有し、
前立て部の上縁部から陰部上方に至る位置において、前開きの表側開口部を形成する前記表側前立て部の側縁部が、略直線状であり、且つ、身生地部と裏側前立て部とを縫合する外開きラインよりも股部側に向かって身体左右中心から外側へ傾斜したラインを有することを特徴とする前開き男性用下着
【請求項２】
前記前開きの表側開口部の下端部の位置よりも下方において、前記裏側前立て部の下縁部を水平方向の略直線状とし、且つ前記表側前立て部と縫着せずに、前開きの裏側開口部を形成することを特徴とする請求項１に記載の前開き男性用下着。
【請求項３】
前記表側前立て部と前記裏側前立て部とは異なる形状の生地で構成され、
前記外開きラインを形成する裏側前立て部の側縁部が股部側に向かって身体左右中心の中心側へ傾斜したラインを有し、
前記表側前立て部の側縁部と前記裏側前立て部の側縁部とが、前記局部用被覆部の上方で交差していることを特徴とする請求項２に記載の前開き男性用下着。
【請求項４】
前記表側前立て部の側縁部と前記裏側前立て部の側縁部とが、前記裏側前立て部の下縁部近傍で交差していることを特徴とする請求項３に記載の前開き男性用下着。
【請求項５】
着用時の立位状態での上下左右方向を基準として、
前記表側前立て部は左右対称な略六角形状であって、前記略六角形状の上辺と前記腰ゴム部とが平行であって、
前記裏側前立て部は、上辺が下辺より長い左右対称な略台形形状であって、
前記略六角形状の上辺および略台形形状の上辺は、上下方向の位置が略一致しており、
前記略六角形状の左右頂点を結ぶ線および略台形形状の下辺は、上下方向の位置および長さが略一致しており、
前記台形形状の側辺の延長線上に前記略六角形状の下側側辺が配置されていることを特徴とする請求項４に記載の前開き男性用下着。
【発明の詳細な説明】
【技術分野】
【０００１】
本発明は、前開き男性用下着において、前開きの表側開口部が目立たないため外観を損なわず、且つ陰部の取り出しの操作がし易い構成とした前開き男性用下着に関する。
【背景技術】
【０００２】
従来の前開き男性用下着においては、２枚の布からなる前立て部の表側は向かって左側に凹状の取り出し開口部を設け、裏側は右側に凹状の取り出し開口部を設けたものが一般的である。また開口部を凹状にするのは、２枚の前立て布を重ねてミシンで身生地と縫合する際に、まっすぐに縫っても凹状部は身生地と縫合されず開口部を形成できるようにするためである。
【０００３】
近年男性用下着の需要者の嗜好が多様化するなか、前記凹状の取り出し開口部は、外観上明らかに陰部の取り出し口と分かり、また通常片側のみの非対に設けられているため、下着にも格好良さを求める需要者からは、むしろ前開きが無くてもデザイン性の高い男性用下着が好まれる場合がある。
【０００４】
また前開きの実用上においても、従来の前開き構造では、まず左側に設けられた表側開口部から手を入れ、次に右側に設けられた裏側開口部を捲って取り出す必要があり、十分な開口部の大きさと、適度な表側開口部と裏側開口部との間隔をもって設計されていないと陰部の取り出しがし難い場合がある。
【０００５】
そのため、下記引用文献のように、陰部の取り出し操作を改善した下半身下着が提案されている（特許文献１及び特許文献２を参照）。
【特許文献１】実用新案登録第３０７０８１５号公報
【特許文献２】実用新案登録第３０９５９６９号公報
【発明の開示】
【発明が解決しようとする課題】
【０００６】
しかしながら、前記特許文献に記載の技術は陰部のそれぞれ取り出し方法の改善を提案するものであるが、需要者の求める外観上の課題を解消するに至っていない。そこで本発明は、上記課題に鑑み、前開きの表側開口部が目立たないため外観を損なわず、且つ陰部の取り出しの操作がし易い構成とした前開き男性用下着を提供することを目的とする。
【課題を解決するための手段】
【０００７】
前記目的を達成するために、本発明は次の手段を講じた。
即ち、本発明にかかる前開き男性用下着は、少なくとも臀部及び脇部を覆う身生地部、腰ゴム部、及び前立て部を有する前開き男性用下着において、前記前立て部は、表側前立て部と裏側前立て部とから構成され、且つ前立て部の上縁部から陰部上方に至る位置において、前開きの表側開口部を形成する前記表側前立て部の側縁部が略直線状であり、且つ身生地部と裏側前立て部を縫合する外開きラインよりも内向きに傾斜したラインを有することを特徴としている。
【０００８】
上記構成では、表側開口部を形成する表側前立て部の側縁部を略直線状で形成しているため、従来の凹状の取り出し開口部のように一目で明らかに取り出し開口部と認識されるものとはならず、目立たないために、外観を損ねる欠点がなくなる。更に表側前立て部の側縁部のラインが、裏側前立て部を縫合する外開きラインよりも内向きに傾斜させて設けたことにより、前立て部と身生地部を縫合する際に取り出し開口部が縫着されることなく、また縫着ラインの配置が美的な感覚をもたらし、外観に優れた下着が得られる。
【０００９】
また陰部の取り出し操作についても、表側開口部が腰ゴム部下縁から陰部の上辺まであるため従来の凹状の取り出し開口部より広く、またその側縁部は、ズボンのポケットのように、股部側に向かって外側に広がるように傾斜して設けてあるため、陰部の持ち手を挿入し易い。
【００１０】
また、本発明にかかる前開き男性用下着は、前記表側前立て部の形状が左右対称であることを特徴としている。この構成により、側前立て部の表側開口部の側縁部ともう一方の側縁部（通常は開口部とせずに裏側前立て部と縫着する）が左右対称となることで、美観が高まるとともに、表側開口部を陰部の取り出し口と認識させにくい効果が得られる。
【００１１】
また、本発明にかかる前開き男性用下着は、前記前開きの表側開口部の下端部の位置よりも下方において、前記裏側前立て部の下縁部を水平方向の略直線状とし、且つ前記表側前立て部と縫着せずに、前開きの裏側開口部を形成することを特徴としている。この構成により、表側開口部から挿入した陰部の持ち手を、そのまま下に向けて入れることで陰部に達するため、後は上斜めに引き出すだけでよく、取り出し操作がし易い。
【００１２】
表側開口部の下端部から裏側前立て部の下縁部の距離については、短すぎると洗濯等によりだれてきた場合に開口部から内部が見えてしまう可能性があり、また長すぎると取り出し難いため、１ｃｍ〜２ｃｍが好適である。
【発明の効果】
【００１３】
本発明によれば、上記のとおり、前開きの表側開口部が目立たないため外観を損なわず、且つ陰部の取り出しの操作がし易い構成の前開き男性用下着を得ることができる。
【発明を実施するための最良の形態】
【００１４】
以下、本発明の実施の形態を、図面に基づき説明する。
図１〜図７は、本発明に係る前開き男性用下着の一実施形態を示したものであり、特に開口部を直線状に形成して開口部の外観や着用感に優れた男性用パンツ１に関するものである。２は前立て部で、表側前立て部３と裏側前立て部４の二重構造で構成するようにしたもので、表側前立て部３の形成手段について述べると、先ず伸縮性メリヤス生地による同一形状で、且つ略長方形状の生地を４枚準備する、即ち図５の如く、表面側生地６及び裏面側生地７を夫々２枚準備し、且つ同生地６、６、７、７の夫々の中央側縁部８、８、８、８の下方部位において、凸状形側縁部を形成するように裁断しておく。
【００１５】
次いで周知の手段により、同側縁部８、８、８、８を凸状曲線に沿って一体的に重合、縫着１０するのである。更に同縫着１０された重合生地６、６、７、７において、最上層部及び最下層部の生地６、７を図６の如く、夫々反転して縫着部１０を内側に隠す構成により、表面及び裏面側生地６、７による二重生地使いの構造で、且つ凸状に膨出した縫着部１０による局部用被覆部１１を有する表側前立て部３が得られ、これにより、腹部や男性用局部を過度に締め付けず、柔らかく被覆できるようにしてある。
【００１６】
また１２、１３は、夫々表面及び裏面側生地６、７の重合生地６、６（７、７）における右側及び左側の脇部側上方の直線状の側縁部、１４、１５は、夫々表面及び裏面側生地６、７の重合生地６、６（７、７）における右側及び左側の脇部側下方の凹状の側縁部である。１７は表面及び裏面側生地６、７のウエスト側の上端部、１８は股部側の下端部である。尚、上記表面及び裏面側生地６、７における右側及び左側の脇部側上方の直線状の側縁部１４、１５は、夫々股部側に向かって外側に広がるように傾斜して設けてある。
【００１７】
前記前立て部２の裏側前立て部４は、台形状の一重メリヤス生地により構成され、且つ両側辺部２３、２３は、夫々股部側に向かって内側に狭まるように傾斜して設けてある。２５は裏側前立て部４のウエスト側の上縁部、２６は裏側前立て部４の下縁部で、水平状に切除してあり、且つ裏側前立て部４の身丈の長さを表側前立て部３の身丈の長さよりも短くしてあり、更に前記水平状の下縁部２６は、股部側に何等縫着されることなく、開放状に形成して、小用時に陰部を容易に取り出せるようにしてある。
【００１８】
３０は前身側脇部３１及び後身頃３２を一体的に形成してなる一体化身生地部で、３４はウエスト側上端部、３５は前身側脇部３１の脇部側上方縁部、３７は前身側脇部３１の脇部側下方縁部、３８は一体化身生地部３０の裾廻り縁部、３９は後身頃３２の股部側凹状部である。なお本実施形態では、前身側脇部３１及び後身頃３２を一体化した身生地としているが、実施の形態はこれに限らず、別の身生地部材としてもよい。
【００１９】
５０は前身側脇部３１と裏側前立て部４の中間位置で、且つ下方位置に位置するように設けた三角形状の前身側下方生地で、５１、５２は、夫々中央側及び脇部側縁部である。なお、本実施形態では、前身側下方生地５０を別途設けているが、本部材を身生地と一体とすることも可能である。
【００２０】
８０は輪状に形成した周知の腰ゴム部で、適宜の編織物生地から形成してあり、且つ一体化身生地部３０、表側前立て部３及び裏側前立て部４のウエスト側上端部３４、１７、２５に周知の手段で縫着してある。８２は脚部の裾周り下端部に周知の手段で設けた輪状の伸縮性細幅生地で、二重に折曲げた状態で裾周りに適宜縫着するようにしてある。
【００２１】
９０はメリヤス生地使いによる長方形状の股部用生地で、前身及び後身側縁部９１、９２及び脇部側縁部９３、９４から形成するようにしてあり、且つ周知の手段で股部用生地９０を股部側周面に適宜縫着するようにしてある。なお、本発明において、股部用生地９０は必須の構成ではないが、股部用生地９０によりシック部を形成することで足の動きを妨げずスムーズな動作が可能になる。
【００２２】
各部材の縫着手段について述べる。まず表側開口部を形成する、表側前立て部３の脇部側上方の右側の直線状の側縁部１２を折り返し縫製等でほつれ防止の処理を行う。そして表側前立て部３と裏側前立て部４を重ね合わせて、表側前立て部３の脇部側上方の左側の直線状の側縁部１３において裏側前立て部４とを縫着し、前立て部２を形成する。
【００２３】
次いで、一体化身生地部３０の脇部側下方縁部３７と前身側下方生地５０の脇部側縁部５２を一体的に縫着５３する。更に前立て部２における表側前立て部３の左側の脇部側下方の凹状の側縁部及び裏側前立て部４の側辺部２３と、前身側脇部３１の脇部側上方縁部３５と、前身側下方生地５０の中央側縁部５１とを一体的に縫着するのである。
【００２４】
また右側も同様に縫着することで、表側前立て部３の脇部側上方の右側直線状縁部１２のみ未縫着の状態になり、表側開口部が形成される。後は適宜腰ゴム部８０等を縫着すればよい。
【産業上の利用可能性】
【００２５】
下着としては、ブリーフやトランクス、ボクサー型パンツ、猿股類やズボン下などのなど各種の広範囲の商品に適用することが可能である。また本発明は、上記実施形態に限定されるものではなく、特に前立て部２以外の部材の形状等は実施の形態に応じて適宜変更可能である。
【図面の簡単な説明】
【００２６】
【図１】本発明による男性用下着の概略正面図である。
【図２】本発明による男性用下着の概略背面図である。
【図３】本発明による男性用下着の股部側概略平面図である。
【図４】本発明よる男性用下着の生地片の配置例を図示した概略平面図である。
【図５】本発明による男性用下着の表側前立て部を構成する生地片の概略斜視図である。
【図６】本発明による男性用下着の表側前立て部を構成する生地片の縫着状況を図示した概略説明用斜視図である。
【図７】本発明による男性用下着における表側前立て部の概略平面図である。
【符号の説明】
【００２７】
１    男性用パンツ
２    前立て部
３    表側前立て部
４    裏側前立て部
１１    局部用被覆部
３０    一体化身生地部
３１    前身側脇部
３２    後身頃
８０    腰ゴム部
８２    伸縮性細幅生地
９０    股部用生地
【図１】
0005234923.tif 000002
【図２】
0005234923.tif 000003
【図３】
0005234923.tif 000004
【図４】
0005234923.tif 000005
【図５】
0005234923.tif 000006
【図６】
0005234923.tif 000007
【図７】
0005234923.tif 000008